(57)【要約】【課題】  特に、圧迫感が軽減された楽な着用感であるにもかかわらず、身体への密着感がありながら身体の動きに追随可能な上半身衣類を提供することを目的とする。【解決手段】  胸部を被覆する前面部１０１Ａと、前面部１０１Ａの左右両脇側から背面に延びる背面部１０１Ｂとからなる表布１０１を有し、前面部１０１Ａにおいて、バージスライン１０２よりも下のアンダーバスト部分１０３は、肌側布１０４が設けられて表布１０１と肌側布１０４との２枚構造となっており、肌側布１０４の、表布１０１が配置されていない側の面には、帯状部材１０５が設けられており、表布１０１の伸長時の伸びの大きさＬｓ、肌側布１０４の伸長時の伸びの大きさＬｉおよび肌側布１０４における帯状部材１０５配置部の伸長時の伸びの大きさＬｂは、Ｌｓ＞Ｌｉ＞Ｌｂの関係を有することを特徴とする。【選択図】  図２
2020122247.tif 000002
【特許請求の範囲】
【請求項１】
上半身衣類であって、
胸部を被覆する前面部と、前記前面部の左右両脇側から背面に延びる背面部とからなる表布を有し、
前記前面部において、バージスラインよりも下のアンダーバスト部分は、肌側布が設けられて前記表布と前記肌側布との２枚構造となっており、
前記肌側布の、前記表布が配置されていない側の面には、帯状部材が設けられており、
前記表布の伸長時の伸びの大きさＬｓ、前記肌側布の伸長時の伸びの大きさＬｉおよび前記肌側布における前記帯状部材配置部の伸長時の伸びの大きさＬｂは、下記式（１）の関係を有することを特徴とする上半身衣類。
Ｌｓ＞Ｌｉ＞Ｌｂ    （１）
【請求項２】
前記表布と前記肌側布とは、前記肌側布の上縁部において結合されている、請求項１記載の上半身衣類。
【請求項３】
上半身衣類を平置きした際に、脇側端部から１ｃｍの範囲の領域には、前記帯状部材が配置されていない、請求項１または２記載の上半身衣類。
【請求項４】
前記帯状部材は、左側帯状部材および右側帯状部材からなり、前中心部に隙間を有して前記肌側布に配置されている、請求項１から３のいずれか一項に記載の上半身衣類。
【請求項５】
ブラジャーである、請求項１から４のいずれか一項に記載の上半身衣類。
【発明の詳細な説明】
【技術分野】
【０００１】
本発明は、上半身衣類に関するものである。
【背景技術】
【０００２】
従来、ブラジャー等の上半身衣類において、楽な着用感を得ることを目的として、ホック等の係止部やワイヤー等を用いずに柔らかい素材を用いたハーフトップタイプの衣類が提案されている（例えば、特許文献１〜３参照）。ステップインタイプのこれらの衣類は、アンダーバストに相当する部分での締め付け力の調節ができないため、着用時の安定感に欠けることがある。また、締め付け力が小さいため、動作や長時間の着用によって、バストの動きに追随できないことによる着崩れが発生しやすいという問題があった。
【先行技術文献】
【特許文献】
【０００３】
【特許文献１】実用新案登録第３０４４５８１号公報
【特許文献２】特開２００３−１９３３０２号公報
【特許文献３】実用新案登録第３１５０４９６号公報
【発明の概要】
【発明が解決しようとする課題】
【０００４】
本発明は、圧迫感が軽減された楽な着用感であるにもかかわらず、身体への密着感がありながら身体の動きに追随可能な上半身衣類を提供することを目的とする。
【課題を解決するための手段】
【０００５】
前記目的を達成するために、本発明の上半身衣類は、
胸部を被覆する前面部と、前記前面部の左右両脇側から背面に延びる背面部とからなる表布を有し、
前記前面部において、バージスラインよりも下のアンダーバスト部分は、肌側布が設けられて前記表布と前記肌側布との２枚構造となっており、
前記肌側布の、前記表布が配置されていない側の面には、帯状部材が設けられており、
前記表布の伸長時の伸びの大きさＬｓ、前記肌側布の伸長時の伸びの大きさＬｉおよび前記肌側布における前記帯状部材配置部の伸長時の伸びの大きさＬｂは、下記式（１）の関係を有することを特徴とする。
Ｌｓ＞Ｌｉ＞Ｌｂ    （１）
【発明の効果】
【０００６】
本発明によると、圧迫感が軽減された楽な着用感であるにもかかわらず、身体への密着感がありながら身体の動きに追随可能な上半身衣類を提供することができる。
【図面の簡単な説明】
【０００７】
【図１】図１は、本発明の上半身衣類の第一の実施形態に係るブラジャーの着用状態での正面図である。
【図２】図２は、図１に示した上半身衣類を裏返して示す正面図である。
【図３】図３は、図１に示した上半身衣類を裏返して示す背面図である。
【図４】図４は、肌側布に設けられる帯状部材の変形例を示す図である。
【図５】図５は、本発明の上半身衣類のその他の例である、ブラキャミソールを示す斜視図である。
【発明を実施するための形態】
【０００８】
本発明の上半身衣類において、前記表布と前記肌側布とは、前記肌側布の上縁部において結合されていることが好ましい。
【０００９】
本発明の上半身衣類において、上半身衣類を平置きした際に、脇側端部から１ｃｍの範囲の領域には、前記帯状部材が配置されていないことが好ましい。
【００１０】
本発明の上半身衣類において、前記帯状部材は、左側帯状部材および右側帯状部材からなり、前中心部に隙間を有して前記肌側布に配置されていることが好ましい。
【００１１】
本発明の上半身衣類は、ブラジャーであることが好ましい。
【００１２】
本発明の上半身衣類について、例をあげて説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１３】
（第一の実施形態）
図１、図２および図３に、本発明の上半身衣類の第一の実施形態に係るブラジャー１００を示す。図１はブラジャー１００の着用状態での正面図である。図２は、図１に示した上半身衣類（ブラジャー１００）を裏返して示す正面図であり、図３は、図１に示した上半身衣類（ブラジャー１００）を裏返して示す背面図である。本実施形態のブラジャー１００は、胸部を被覆する前面部１０１Ａと、前面部１０１Ａの左右両脇側から背面に延びる背面部１０１Ｂとからなる表布１０１を有しているハーフトップタイプのブラジャーである。そして、前面部１０１Ａにおいて、バージスライン１０２よりも下のアンダーバスト部分１０３は、肌側布１０４が設けられて表布１０１と肌側布１０４との２枚構造となっている。肌側布１０４の伸長性は表布１０１の伸長性よりも小さい。すなわち、同じ力で伸ばしたときには、表布１０１のほうが肌側布１０４よりも、よく伸びる生地を用いている。
【００１４】
肌側布１０４の、表布１０１が配置されていない側の面には、帯状部材１０５が設けられている。帯状部材１０５が設けられることで、肌側布１０４における帯状部材１０５配置部の伸長性は、帯状部材１０５が配置されていない部分の肌側布１０４の伸長性よりも小さくなっており、同じ力で伸ばしたときには、肌側布１０４のほうが帯状部材１０５配置部よりも、よく伸びる。ここで、表布１０１の伸長時の伸びの大きさをＬｓ、肌側布１０４の伸長時の伸びの大きさをＬｉ、肌側布１０４における帯状部材１０５配置部の伸長時の伸びの大きさをＬｂとすると、これらは次の式（１）の関係を有している。
Ｌｓ＞Ｌｉ＞Ｌｂ    （１）
【００１５】
表の生地（表布１０１）１枚（伸長性大）で上半身衣類を構成した場合、図１に示すようなステップインタイプの上半身衣類では、アンダーバスト部分の安定性に欠ける。そこで、バージスライン１０２より下のアンダーバスト部分１０３において、表布１０１の裏側（肌側）に、伸長性が表生地１０１より小さい生地（肌側布１０４、伸長性中）を設ける。このように、表布１０１と肌側布１０４との２枚構造とすることで、着用時のアンダーバスト部分を安定させるとともに、身体の動きに追随させることができる。表布１０１と肌側布１０４とは、肌側布１０４の上縁部において結合されていることが好ましい。特に、表布１０１と肌側布１０４とを、肌側布１０４上縁部のみで結合し、他の部分は表布１０１から遊離した状態とすることで、身体の動きにより追随させることが可能となる。前記の結合は、布同士を縫着で結合してもよいし、接着で結合してもよい。
【００１６】
本発明においては、伸長性が表生地１０１より小さい生地（肌側布１０４、伸長性中）の、着用時に肌側となる側の面（表布１０１が配置されていない側の面）に、さらに、帯状部材１０５を設けている。着用時に表側（最も肌から離れた位置）に、伸長性の大きい生地（表布１０１）を設けて３層構造にすることで、伸長性の小さい部分が身体の動きに追随せずに浮きそうになるところを押さえることができる。このような構造とすることで、全体的には伸長性の大きい生地を用いることによる効果（身体の動きを阻害しない、身体の動きに追随する）が得られると同時に、伸縮性の違う生地を部位によって使い分けることで身体への密着感がありながら身体の動きに追随させて、安定感および密着感を上げることができる。また、前記３層構造によると、例えば、帯状部材１０５が、身体と馴染みにくい形状や位置であっても、密着性を確保することができる。さらに、体型差にかかわらず、密着性を確保することができるため、サイズ融通性のある上半身衣類とすることができる。帯状部材１０５は、肌側布１０４に縫着、接着等で設ければよい。
【００１７】
帯状部材１０５は、肌側布１０４において帯状部材１０５を配置した部分（帯状部材配置部）の伸長性が、肌側布１０４より小さくなる材料を用いればよい。帯状部材１０５として、伸長性が肌側布１０４（伸長性中）より小さい生地を用いてもよいし、例えば、肌側布１０４と同じ生地を用いて、帯状部材配置部は肌側布１０４の生地が２枚重なることで伸長時の伸びを小さくすることも可能である。
【００１８】
帯状部材１０５は、上半身衣類の脇を避けた中央付近に設けることが好ましい。着用時に脇部分の領域は、皮膚の伸び縮みが大きい。そのため、この領域が他の部分に比べて伸びにくい構造の衣類であると、着用時に身体の動きを阻害しやすく、また、身体から衣類が一旦ずれてしまうと、元の位置に戻りにくくなりがちである。そこで、脇部分の領域は、伸長性のある生地で構成することで、着用時に安定感が得られるとともに、身体への追随性を向上させることができる。特に、上半身衣類１００を平置きした際に端となる脇側端部から、１ｃｍの範囲の領域には、帯状部材１０５が配置されていないことが好ましい。上半身衣類がカップ部を有しているブラジャーである場合、帯状部材１０５は、前記カップ部の下部の領域付近に設けることが好ましい。伸長性の小さい部分を、伸長性が中の生地のカップ部の下部の領域に設けることで、左右のカップ部と身体との位置関係が安定し、カップ部を含む上半身衣類全体もずれにくくなる。また、アンダーバスト中央部分に発生しやすい浮き（身体から離れること）を防ぐこともできる。
【００１９】
帯状部材１０５の幅は、５ｍｍ〜３０ｍｍの範囲内にあることが好ましく、１５ｍｍ〜２５ｍｍの範囲内にあることがより好ましい。前記範囲とすることで、アンダーバスト部分での密着度向上と身体の動きへの追随とを、より良好に両立させることができる。前記幅は、着用者の体型に応じて調整することもできる。
【００２０】
図１〜図３に示す上半身衣類（ブラジャー１００）においては、肌側布１０４は、前面部１０１Ａのみに設けられた態様について説明したが、本発明はこれに限定されず、肌側布が背面部１０１Ｂにも設けられていてもよい。肌側布１０４が前面部１０１Ａのみに設けられることで、身体への密着度は十分に得られるが、より密着度が求められる用途においては、一周に亘り設けられていてもよい。
【００２１】
表布１０１としては、天竺、フライス、スムース、トリコット、パワーネット、ラッセル、レース等の素材を用いることができる。伸長性（伸長時の伸びの大きさＬｓ）は１７０〜２３０％の範囲にあることが好ましく、より好ましくは１９０〜２１０％の範囲である。
【００２２】
肌側布１０４としては、表布１０１と同様に、天竺、フライス、スムース、トリコット、パワーネット、ラッセル、レース等の素材を用いることができる。ただし、伸長性（伸長時の伸びの大きさＬｉ）は、表布１０１より小さいものであり、１００〜１７０％の範囲にあることが好ましく、より好ましくは１４０〜１６０％の範囲である。
【００２３】
帯状部材１０５としては、天竺、フライス、スムース、トリコット、パワーネット、ラッセル、レース、織物等の素材を用いることができる。伸長性（伸長時の伸びの大きさ）は、全く伸びないものであってもよく、０〜１７０％の範囲にあることが好ましい。
【００２４】
表布１０１および肌側布１０４は、折り返して縫製するなどの端始末を必要としない端部となっていることが、着用時の段差の発生の防止や、運動追従性、肌触りの点から好ましい。表布１０１および肌側布１０４の生地として、例えば、生地端始末不要なフラット素材やヘム素材を用いると、切断箇所のほつれ防止処理が不要である。また、部分的に、端始末不要な生地を使うことで、肌あたりやデザインなどを調整することができる。
【００２５】
また、表布１０１と肌側布１０４とは、同一の生地において、生地の伸びを拘束する部分の有無で使い分けることもできる。肌側布１０４に比べて伸度が大きい表布１０１は、例えば、肌側布１０４の生地の抜染または抜蝕加工によって、特定の繊維を除去することで、生地を伸びやすくすることができる。あるいは、伸度の高い生地に対して、伸びを抑えたい部分にのみ樹脂を塗布する等の加工を行うことで、伸度が小さい生地を形成することができる。この場合、前記樹脂は、生地表面に配置されていてもよいし、生地内部に配置されていてもよい。
【００２６】
前述の伸張性は、次の方法で測定することができる。試験対象の生地から、１６０ｍｍ×２５ｍｍの試験片を、上半身衣類の幅方向（図中における左右方向）となる方向に２枚採取し、伸長性試験用とする。試験片を、上部つかみ２５ｍｍ、下部つかみ３５ｍｍ、つかみ間隔１００ｍｍとして、定速伸長形引張試験機（島津製作所製”オートグラフ”ＡＧ−５００Ｄ）に取り付け、３００ｍｍ±２０ｍｍ／分の速度で、２２．１Ｎ（２．２５ｋｇｆ）の荷重をかけ、荷重１４．７Ｎ（１．５０ｋｇｆ）の伸び率（％）を測定し、２回の平均値を算出し、整数位で表した数値を伸張性（伸度）とした。１６０ｍｍ×２５ｍｍの大きさの試験片の採取が困難な場合は、それぞれ同じ大きさの試験片で比較すればよく、例えば、１００ｍｍ×１８ｍｍの長さの試験片で測定してもよい。
【００２７】
図４は、肌側布に設けられる帯状部材の変形例を示す図である。第一の実施形態においては、帯状部材１０５は、アンダーバスト部分の中央から左右にわたり、一つの部材で構成されているが、本発明はこれに限定されるものではない。本変形例では、帯状部材１０５が、左側帯状部材１０５Ｌおよび右側帯状部材１０５Ｒからなり、前中心部に隙間を有して肌側布１０４に配置されている。前中心部に帯状部材の配置されない隙間があることで、衣類におけるサイズ融通性をより発現させることができる。前記隙間は、３ｍｍ〜３０ｍｍの範囲内にあることが好ましく、４ｍｍ〜１２ｍｍの範囲内であることがより好ましい。
【００２８】
本実施形態のブラジャー１００においては、表布１０１の上部に、一対の肩ストラップ１０６が設けられている。肩ストラップ１０６の一端は前面部１０１Ａに取り付けられ、肩ストラップ１０６の他端は背面部１０１Ｂの上辺部に取り付けられた円環の係止具１０８Ａを通って反転し、エイト環からなる長さ調節具１０８Ｂに導入されることによって、背面部１０１Ｂの上辺に取り付けられている。このような方法で肩ストラップ１０６を取り付けると、肩ストラップ１０６の長さは調整が可能となる。肩ストラップ１０６の態様はこれに限定されず、表布１０１を肩から吊り下げるものであればよい。例えば、肩ストラップ１０６は、紐や布テープであってもよいし、タンクトップのような幅の広い、いわゆるラウンドタイプのストラップであってもよい。肩ストラップ１０６の態様は、図１に示すように、一対の肩ストラップ１０６を、左右にそれぞれ前面部１０１Ａの上部と背面部１０１Ｂの上部とに取り付ける態様に限定されず、例えば、スポーツタイプのブラジャーの肩ストラップのように、背中側で２本の肩ストラップ１０６が一体となり背面部１０１Ｂに取り付けられる態様であってもよい。また、前面部１０１Ａの左右に取付け、上部同士を互いに繋ぐように取り付けられている、いわゆる「ホルターネック」タイプであってもよい。肩ストラップ１０６の取り付け位置は、上半身衣類の形状やデザインによって決定することができる。
【００２９】
本例のブラジャー１００では、連結係止部を有していない背面部１０１Ｂを使用した態様であるが、着脱自在な連結係止部を背中心付近に有している態様とすることもできる。前記連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。また、バック布が連結係止部を有さないフロントホックタイプや、バック布を結んで係止するタイプであってもよい。
【００３０】
ブラジャー１００は、前面部１０１Ａのバスト部において、バストの整形等を目的としてカップ（図示せず）を設けてもよい。前記カップは、前面部１０１Ａに直接取り付けてもよいし、裏当て部を設けてポケットを形成し、前記ポケットの中に前記カップを収容してもよい。前記カップとしては、可撓性を有する部材であり、ウレタンフォーム、不織布、あるいはポリウレタンなどの高弾性糸から編成された厚手シート状の素材（ダンボールニット、ダブルラッセル）等を使用することができるが、成型性、耐久性等の点からウレタンフォーム、不織布が好ましい。前記カップの厚みは、着用による体型の補整といった目的や、上半身衣類のデザインに応じて設計可能である。
【００３１】
（第二の実施形態）
次に、図５に本発明の上半身衣類のその他の例として、ブラキャミソール２００の斜視図を示す。
【００３２】
このブラキャミソール２００のブラジャー相当部分は、図１で説明したブラジャー１００とほぼ同一の概念のもとに設計されている。本態様においては、ブラキャミソール２００が、アンダーバスト部分の下側に続いて身頃２０１を有している。その他の態様は図１に示したブラジャー１００と実質上同一であり、同一部分には同一の符号を付して、重複する説明を省略している。ここでは、第一の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００３３】
以上、実施の形態の具体例として、ブラジャーおよびブラキャミソールをあげて本発明を説明したが、本発明の上半身衣類は、これらの具体例で記載されたもののみに限定されるものではなく、種々の態様が可能である。例えば、上記の実施形態のような衣類以外にも、アンダーシャツ、ボディースーツ、ブラスリップ、水着、レオタード、その他各種の上半身衣類に適用できる。
【産業上の利用可能性】
【００３４】
本発明の上半身衣類は、種々の態様が可能である。例えば、上記の実施形態のような衣類以外にも、ファンデーション衣類、スポーツ衣類、アウターなど、各種の上半身衣類に適用できる。
【符号の説明】
【００３５】
１００  ブラジャー
１０１  表布１０１
１０１Ａ  前面部
１０１Ｂ  背面部
１０２  バージスライン
１０３  アンダーバスト部分
１０４  肌側布
１０５  帯状部材
１０５Ｌ  左側帯状部材
１０５Ｒ  右側帯状部材
１０６  肩ストラップ
１０８Ａ  円環係止具
１０８Ｂ  長さ調節具
２００  ブラキャミソール
２０１  身頃
【図１】
2020122247.tif 000003
【図２】
2020122247.tif 000004
【図３】
2020122247.tif 000005
【図４】
2020122247.tif 000006
【図５】
2020122247.tif 000007